(57)【要約】【課題】  積み重ねても収納された荷物に不具合を生じさせることがなく、高強度で、しかも廃棄性や材料資源のリサイクル性を高めることを可能にする。【解決手段】  荷物が搭載される載置台と、該載置台の外縁部に立設された複数の外側支柱１５と、外側支柱１５の上端に支持される蓋体１７とを有する梱包構造体であって、載置台１３上の外側支柱１５の配置位置を結んだ領域の内側に、載置台１３と蓋体１７とを連結する補助支持部材１９を備えた。【選択図】  図１
2005320026.tif 000002
【特許請求の範囲】
【請求項１】
荷物が搭載される載置台と、該載置台の外縁部に立設された複数の外側支柱と、前記外側支柱の上端に支持される蓋体とを有する梱包構造体であって、
前記載置台上の前記外側支柱の配置位置を結んだ領域の内側に、前記載置台と前記蓋体とを連結する補助支持部材を備えたことを特徴とする梱包構造体。
【請求項２】
前記補助支持部材が、棒状に形成された支柱であることを特徴とする請求項１記載の梱包構造体。
【請求項３】
前記補助支持部材が、板状に形成された仕切板であることを特徴とする請求項１記載の梱包構造体。
【請求項４】
前期補助支持部材が、段ボール材又は木材からなることを特徴とする請求項１〜請求項３のいずれか１項記載の梱包構造体。
【請求項５】
前記補助支持部材が、前記載置台上の略中央位置を含んで配置されたことを特徴とする請求項１〜請求項４のいずれか１項記載の梱包構造体。
【請求項６】
前記補助支持部材が、前記載置台上の複数位置に配置されたことを特徴とする請求項１〜請求項５のいずれか１項記載の梱包構造体。
【発明の詳細な説明】
【技術分野】
【０００１】
本発明は、梱包構造体に関し、特に複数段に積載された場合でも十分な強度を発揮できる梱包構造体に関する。
【背景技術】
【０００２】
工業製品を出荷等のため輸送したり倉庫に保管したりする流通過程において、容易に搬送したり積載することが可能なように、製品をパレット単位で取り扱うことが一般に行われている。パレット上には、例えば一つ或いは複数の荷物が段ボール等の包装材により保護された状態で載置される。そして、荷物の載置されたパレット（パレット梱包体）を多段状に積み重ねることで、大量の荷物の輸送・保管を可能にしている。図１０にボックスパレットの一例を示した。この場合のボックスパレット１は、パレット２上に固定された枠体３に側面４を接続して形成した箱体５と、この箱体５の上面を覆うかぶせ蓋６を有している（非特許文献１参照）。
【０００３】
このようなパレット梱包体を積み重ねた場合、下段のパレット上の製品に上段のパレットからの荷重を受けることになり、耐圧強度のない製品では、変形、歪み等の品質異常が発生する懸念がある。そこで、パレット梱包体を積み重ねても、積載された製品に過大な荷重が加わらないように、枠体３が荷重を受けるようになっている。枠体３は、パレット梱包体を多段に積み重ねた場合に上段のパレット梱包体からの荷重に耐えるように鋼材等からなる。
【０００４】
また、上記構成以外にも、例えば図１１（ａ），（ｂ）に示すようなポストパレットと呼ばれるものがある。ポストパレットとは、支柱７を持つパレットを指し、支柱７には固定式、取り外し式、折り畳み式等があり、さらに（ａ）に示すように、横桟８を有するタイプもある。
【非特許文献１】「輸送包装技術と材料」、株式会社東レリサーチセンター調査研究部門編集、１９９８年１２月２０日発行、第１１頁、第１７頁
【発明の開示】
【発明が解決しようとする課題】
【０００５】
しかしながら、上記のボックスパレットやポストパレット等のパレット梱包体は、全般的に高価であって、あくまでもリユースを前提とした仕様となっている。また、大量の箱詰め製品をパレタイズし難く、パレット梱包体自体の廃棄がし難いという難点もある。
そして、パレット梱包体を多段に積載する際は、各パレット梱包体の枠体３が互いにその位置を合わせて積み重ねられるとは限らず、必ずしも枠体のみに荷重が付加される訳ではない。従って、パレット梱包体の積載時に、パレット梱包体の天板となるかぶせ蓋６が特に上下方向への十分な耐荷重性を有しないため、図１２に示すように、押し潰されて荷物９に品質異常を生じさせる可能性は依然として払拭されることがない。
【０００６】
本発明は上記状況に鑑みてなされたもので、積み重ねても収納された荷物に不具合を生じさせることのない高強度で、しかも廃棄性や材料資源のリサイクル性を高めた梱包構造体を提供することを目的としている。
【課題を解決するための手段】
【０００７】
本発明の上記目的は、下記構成により達成される。
（１）荷物が搭載される載置台と、該載置台の外縁部に立設された複数の外側支柱と、前記外側支柱の上端に支持される蓋体とを有する梱包構造体であって、前記載置台上の前記外側支柱の配置位置を結んだ領域の内側に、前記載置台と前記蓋体とを連結する補助支持部材を備えたことを特徴とする梱包構造体。
【０００８】
この梱包構造体によれば、載置台上の外側支柱の配置位置を結んだ領域の内側に、載置台と蓋体とを連結する補助支持部材を備えたことにより、梱包構造体を複数積み重ねても、それによる荷重が外側支柱に加えて補助支持部材にも分散されて梱包構造体の強度を向上できる。そして、複数段積み重ねても、収納された荷物に不具合を生じさせることがない。
【０００９】
（２）前記補助支持部材が、棒状に形成された支柱であることを特徴とする（１）記載の梱包構造体。
【００１０】
この梱包構造体によれば、載置台と蓋体とを棒状の支柱により連結するので、この支柱によって負荷される荷重が分散されて蓋体のたわみが抑えられる。
【００１１】
（３）前記補助支持部材が、板状に形成された仕切板であることを特徴とする（１）記載の梱包構造体。
【００１２】
この梱包構造体によれば、載置台と蓋体とが仕切板により連結されるとともに、仕切板が荷崩れを防止する。
【００１３】
（４）前期補助支持部材が、段ボール材又は木材からなることを特徴とする（１）〜（３）のいずれか１項記載の梱包構造体。
【００１４】
この梱包構造体によれば、廃棄性や材料資源のリサイクル性を高めることができる。
【００１５】
（５）前記補助支持部材が、前記載置台上の略中央位置を含んで配置されたことを特徴とする（１）〜（４）のいずれか１項記載の梱包構造体。
【００１６】
この梱包構造体によれば、載置台上の略中央位置を含む位置に補助支持部材が配置されることで、たわみが最大となる位置で蓋体を支持することができ、梱包構造体の強度が高められる。
【００１７】
（６）前記補助支持部材が、前記載置台上の複数位置に配置されたことを特徴とする（１）〜（５）のいずれか１項記載の梱包構造体。
【００１８】
この梱包構造体によれば、載置台上の複数位置に補助支持部材が配置されることで、負荷される荷重が分散されて、梱包構造体の耐荷重を高めることができる。
【発明の効果】
【００１９】
本発明の梱包構造体によれば、積み重ねても収納された荷物に不具合を生じさせることなく、高強度な構成にでき、しかも廃棄性や材料資源のリサイクル性を高めることができる。
【発明を実施するための最良の形態】
【００２０】
以下、本発明に係る梱包構造体の好適な実施の形態について、図面を参照して詳細に説明する。
図１は本発明に係る梱包構造体の一例としての梱包構造体の分解斜視図である。
この梱包構造体１００は、荷物である工業製品１１等が搭載された載置台としてのパレット１３と、このパレット１３の該載置台の外縁部に立設された複数の外側支柱１５と、外側支柱１５の上端に支持される蓋体としてのキャップ１７とを有している。そして、パレット１３上の外側支柱１５の配置位置を結んだ領域の内側に、パレット１３とキャップ１７とを連結する補助支持部材としてのセンター支柱１９を備えている。
【００２１】
梱包構造体１００は、さらに、パレット１３の上面に製品１１を載置するトレイ２１を有し、トレイ２１はパレット１３に傘釘２３によって打ち付けられている。また、トレイ２１とキャップ１７は、角部を折り込んだ後に粘着テープ２７により固定することで、周壁を形成している。そして、四隅のコーナー部に配設される外側支柱１５と製品１１との間の側面には、胴枠となる横断面が「コ」字型のスリーブ２５が組み付けられる。
【００２２】
本実施形態のセンター支柱１９は棒状に形成された支柱であり、パレット１３の上面の略中央位置に配置されている。また、複数の箱体からなる製品１１は、このセンター支柱１９を取り囲むように積載されている。そして、各部に図示しない紐やテープを巻き付けることで各部材を組み立てて固定させる。このように、組み立てに際しては、接着剤等を使用することなく、解体や分別が容易になるようにしている。
【００２３】
外側支柱１５は、段ボールや木製の支柱からなり、特に、自立性を持たせるためにはＬ字型にすることが好ましい。外側支柱１５をＬ字型にすることで、梱包構造体１００への組み付け位置が規定しやすくなり、ずれも生じにくくなる。
【００２４】
上記の梱包構造体１００では、パレット１３上のトレイ２１とキャップ１７との間の、しかもトレイ２１の略中央位置に、センター支柱１９が立設された構成であるため、梱包構造体１００を積み重ねた場合に、上方に積まれた梱包構造体１００の自重による荷重が下方の梱包構造体１００に加わっても、この荷重を外側支柱１５とセンター支柱１９に分散させることができる。
【００２５】
図２は図１に示す梱包構造体に荷重が加わった状態の断面図である。この図に示すように、荷重は、外側支柱１５とセンター支柱１９に分散されることで、キャップ１７のたわみが大幅に抑えられ、このたわみによって製品１１が押し潰されることを防止できる。これにより、製品１１の耐圧強度が低い場合でも、変形や歪み等の品質異常を生じることなく、また、梱包構造体１００の積み重ねが可能な段数を増やすことができ、輸送や保管のためのスペース効率が向上し、もって、輸送や保管のコストを低減することができる。なお、キャップ１７は、上記効果により、段ボール、薄手の合板、あるいは樹脂板等をそのまま用いることができ、特に金属等の高強度な材料を必要としない。
【００２６】
また、本構成の梱包構造体１００は、支柱の材料として鋼材等を使用していないため、軽量であるばかりか、廃棄性、素材のリサイクル性が高く、特に使い捨てを前提に使用されるとその利便性が一層顕著となる。
【００２７】
センター支柱１９の変形例としては、次の形態が一例として挙げられる。
図３はセンター支柱の一変形例を示す斜視図である。このセンター支柱３１は、上下端にフランジ部３３を一体に形成した構成としている。フランジ部３３を設けることにより、キャップ１７に負荷される荷重をより広い面で受け止めることができ、製品１１を負荷される荷重からより安全に保護することができる。また、フランジ部３３は一体形成する以外にも、図４に示すように、センター支柱３５とフランジ部３７とを別体にして、双方を組み合わせて用いる構成としてもよい。さらには、別体にされたフランジ部３７が、キャップ１７とトレイ２１に接着等で取り付けられていると、梱包作業を容易にできる。
【００２８】
図５はセンター支柱を複数設けた一例を示す説明図である。
上述したセンター支柱１９は、パレット１３上の略中央位置に一本設けただけであったが、図５に示すように、パレット１３上の複数位置に配置してもよい。この場合には、負荷される荷重を一層分散させることができるので、荷重の局所的な集中が緩和されて、耐荷重性が高められる。
【００２９】
次に、本発明にかかる梱包構造体の第２の実施形態を説明する。
図６に本発明の第２実施形態の梱包構造体の分解斜視図を示した。なお、図１と同一の部材に対しては同一の符号を付与することで、その説明は省略するものとする。
本実施形態の梱包構造体２００は、補助支持部材を板状に形成された仕切板４１とした他は第１実施形態と同様の構成である。仕切板４１は、段ボールやファイバーボード、或いは木材からなり、積載された製品１１の略中央を含む位置で、製品１１を二分するように配置されている。
この構成によれば、仕切板４１の上端がキャップ１７に当接し、下端がトレイ２１に当接することで、負荷される荷重がこの仕切板４１を介してキャップ１７側からトレイ２１側に逃がされる。これにより、製品１１に過大な荷重がかかることを防止できる。また、仕切板４１がトレイ２１の略中央部を含む位置に配置されているので、梱包構造体２００への荷重の分配が均等化されて、荷重の偏りによる捻れや曲げモーメントがかかりにくくなる。
【００３０】
仕切板４１は、上記の一枚構成の他にも複数枚備えた構成であってもよい。図７に複数の仕切板を製品の間に配置した例を示した。このように、複数の板状の仕切板４１を配置させることにより、負荷される荷重がより細かく分配されて、一枚の仕切板４１の場合よりも荷重を軽減できる。もって、仕切板４１の強度の制約が緩和されて、材料選択の範囲を広げられる。
【００３１】
次に、本発明にかかる梱包構造体の第３実施形態を説明する。
図８に本実施形態の梱包構造体に使用されるセンター支柱の外観斜視図、図９にこのセンター支柱を用いて製品を積載した様子の説明図を示した。
本実施形態のセンター支柱５１は、支柱本体５３から放射状に仕切板５５を一体に有して形成され、各仕切板５５は、図９に示すように製品１１の横ずれを防ぎ、安定した積層状態となる。また、負荷される荷重が、支柱本体５３と各仕切板５５に分散されるため、梱包構造体の強度が向上し、また、荷重分散による耐荷重の軽減によって、支柱本体５３及び仕切板５５の材料選択の自由度が向上する。
【００３２】
以上各実施形態で説明したように、本発明にかかる梱包構造体によれば、積み重ねた場合であっても、蓋体に負荷される荷重がセンター支柱や仕切板等の補助支持部材によって分散されて、蓋体のたわみが大きく抑えられる。その結果、収納された製品などの荷物に不具合を生じさせることなく、安全に荷物を輸送、あるいは保管することができる。
なお、補助支持部材としては、上記形態に限らずに、この他にも荷重を分散させるための部材であればその形状は任意であってよい。
【図面の簡単な説明】
【００３３】
【図１】本発明に係る梱包構造体の一例としての梱包構造体の分解斜視図である。
【図２】図１に示す梱包構造体に荷重が加わった状態の断面図である。
【図３】センター支柱の一変形例を示す斜視図である。
【図４】センター支柱の他の例であってセンター支柱とフランジ部とを別体にして双方を組み合わせて用いる構成を示す斜視図である。
【図５】はセンター支柱を複数設けた一例を示す説明図である。
【図６】本発明の第２実施形態の梱包構造体の分解斜視図を示した。
【図７】複数の仕切板を製品の間に配置した例を示す説明図である。
【図８】梱包構造体に使用されるセンター支柱の外観斜視図である。
【図９】センター支柱を用いて製品を積載した様子の説明図である。
【図１０】従来のボックスパレットの一例を示す斜視図である。
【図１１】従来のポストパレットの一例（Ａ），（Ｂ）を示す斜視図である。
【図１２】従来のパレット梱包体の積載時における問題を示す説明図である。
【符号の説明】
【００３４】
１１  工業製品
１３  パレット
１５  外側支柱
１７  蓋体
１９  センター支柱
２１  トレイ
２３  傘釘
２５  スリーブ
２７  粘着テープ
３１  センター支柱（補助支持部材）
３３  フランジ部
３５  センター支柱
３７  フランジ部
４１  仕切板（補助支持部材）
５１  センター支柱
５３  支柱本体
５５  仕切板
１００，２００  梱包構造体
【図１】
2005320026.tif 000003
【図２】
2005320026.tif 000004
【図３】
2005320026.tif 000005
【図４】
2005320026.tif 000006
【図５】
2005320026.tif 000007
【図６】
2005320026.tif 000008
【図７】
2005320026.tif 000009
【図８】
2005320026.tif 000010
【図９】
2005320026.tif 000011
【図１０】
2005320026.tif 000012
【図１１】
2005320026.tif 000013
【図１２】
2005320026.tif 000014